【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
１つ以上の電話端末と、電話網からの回線を接続するとともに前記電話端末を収容し前記回線に前記電話端末を交換接続する主装置とをそれぞれ有する複数のボタン電話装置を含み、これらボタン電話装置の主装置間で、データ通信網を介して制御データをやり取りすることにより呼制御を行うとともに、音声データをやり取りすることにより通話路を形成し、その通話路を利用することにより他のボタン電話装置の回線を用いた通話を実現する電話システムであって、
前記ボタン電話装置の主装置は、
前記電話端末での発呼操作と他のボタン電話装置の回線との対応付けを示す回線管理情報を記憶する記憶手段と、
前記電話端末での発呼操作に応じて前記記憶部の回線管理情報から当該発呼操作に対応する回線を確認し、その回線を接続する他のボタン電話装置に対して当該回線を用いた発呼を、前記データ通信網を介して要求する制御手段とを備えることを特徴とする電話システム。
【請求項２】
電話網からの回線を接続するとともに１つ以上の電話端末を収容し前記回線に前記電話端末を交換接続する第１および第２の電話制御装置を含み、これら電話制御装置間で、データ通信網を介して制御データをやり取りすることにより呼制御を行うとともに、音声データをやり取りすることにより通話路を形成し、その通話路を利用することにより他方の電話制御装置の回線を用いた通話を実現する電話システムであって、
前記第１の電話制御装置は、
当該第１の電話制御装置で収容する電話端末での発呼操作と前記第２の電話制御装置の回線との対応付けを示す回線管理情報を記憶する記憶手段と、
当該第１の電話制御装置で収容する電話端末での発呼操作に応じて前記記憶部の回線管理情報から当該発呼操作に対応する回線を確認し、その回線を接続する前記第２の電話制御装置に対して当該回線を指定した発呼を、前記データ通信網を介して要求する制御手段とを備え、
前記第２の電話制御装置は、
前記第１の電話制御装置からの発呼要求に応じて、当該発呼要求で指定されている回線を用いて前記電話網へ発呼する制御手段を備える
ことを特徴とする電話システム。
【請求項３】
電話網からの回線を接続するとともに１つ以上の電話端末を収容し前記回線に前記電話端末を交換接続する第１および第２の電話制御装置を含み、これら電話制御装置間で、データ通信網を介して制御データをやり取りすることにより呼制御を行うとともに、音声データをやり取りすることにより通話路を形成し、その通話路を利用することにより他方の電話制御装置の回線を用いた通話を実現する電話システムであって、
前記第１の電話制御装置は、
当該第１の電話制御装置で収容する電話端末での第１の発呼操作と前記第２の電話制御装置で収容する電話端末での第２の発呼操作との対応付けを示す回線管理情報を記憶する記憶手段と、
当該第１の発呼操作に応じて前記記憶部の回線管理情報から当該第１の発呼操作に対応する第２の発呼操作を確認し、前記第２の電話制御装置に対して当該第２の発呼操作を指定した発呼を、前記データ通信網を介して要求する制御手段とを備え、
前記第２の電話制御装置は、
当該第２の電話制御装置で収容する電話端末での第２の発呼操作と当該第２の電話制御装置の回線との対応付けを示す回線管理情報を記憶する記憶手段と、
前記第１の電話制御装置からの発呼要求に応じて、前記記憶部の回線管理情報から当該発呼要求で指定されている第２の発呼操作に対応する回線を確認し、当該回線を用いて前記電話網へ発呼する制御手段を備える
ことを特徴とする電話システム。
【請求項４】
請求項３または請求項４に記載の電話システムにおいて、
前記第２の電話制御装置の制御手段は、前記発呼に対する相手電話端末の応答に応じて、当該相手電話端末と前記電話網を介して通話路を形成するとともに、前記第１の電話制御装置と前記データ通信網を介して制御データをやり取りすることにより、当該データ通信網を介して前記第１の電話制御装置と通話路を形成し、当該通話路に当該相手電話端末との通話を接続し、
前記第１の電話制御装置の制御手段は、前記データ通信網を介して形成した前記第２の電話制御装置との通話路に当該発呼操作を行った電話端末を接続する
ことを特徴とする電話システム。
【請求項５】
１つ以上の電話端末と、電話網からの回線を接続するとともに前記電話端末を収容し前記回線に前記電話端末を交換接続する主装置とを有し、他のボタン電話装置とデータ通信網を介して制御データをやり取りすることにより呼制御を行うとともに、音声データをやり取りすることにより通話路を形成し、その通話路を利用することにより前記他のボタン電話装置の回線を用いた通話を実現するボタン電話装置であって、
前記主装置は、
前記電話端末での発呼操作と他のボタン電話装置の回線との対応付けを示す回線管理情報を記憶する記憶手段と、
前記電話端末での発呼操作に応じて前記記憶部の回線管理情報から当該発呼操作に対応する回線を確認し、その回線を接続する他のボタン電話装置に対して当該回線を用いた発呼を、前記データ通信網を介して要求する制御手段とを備えることを特徴とするボタン電話装置。
【請求項６】
電話網からの回線を接続するとともに１つ以上の電話端末を収容し前記回線に前記電話端末を交換接続する機能を有し、他の電話制御装置とデータ通信網を介して制御データをやり取りすることにより呼制御を行うとともに、音声データをやり取りすることにより通話路を形成し、その通話路を利用することにより前記他の電話制御装置の回線を用いた通話を実現する電話制御装置であって、
前記電話端末での発呼操作と他の電話制御装置の回線との対応付けを示す回線管理情報を記憶する記憶手段と、
前記電話端末での発呼操作に応じて前記記憶部の回線管理情報から当該発呼操作に対応する回線を確認し、その回線を接続する他の電話制御装置に対して当該回線を用いた発呼を、前記データ通信網を介して要求する制御手段とを備えることを特徴とする電話制御装置。
【請求項７】
電話網からの回線を接続するとともに１つ以上の電話端末を収容し前記回線に前記電話端末を交換接続する機能を有し、他の電話制御装置とデータ通信網を介して制御データをやり取りすることにより呼制御を行うとともに、音声データをやり取りすることにより通話路を形成し、その通話路を利用することにより前記他の電話制御装置の回線を用いた通話を実現する電話制御装置のコンピュータに、
前記電話端末での発呼操作と他の電話制御装置の回線との対応付けを示す回線管理情報を記憶するステップと、
前記電話端末での発呼操作に応じて前記記憶部の回線管理情報から当該発呼操作に対応する回線を確認し、その回線を接続する他の電話制御装置に対して当該回線を用いた発呼を、前記データ通信網を介して要求するステップと
を実行させるプログラム。
【手続補正２】
【補正対象書類名】明細書
【補正対象項目名】発明の名称
【補正方法】変更
【補正の内容】
【発明の名称】電話システム、ボタン電話装置、電話制御装置、およびプログラム
【手続補正３】
【補正対象書類名】明細書
【補正対象項目名】０００８
【補正方法】変更
【補正の内容】
【０００８】
このような目的を達成するために、本発明にかかる電話システムは、１つ以上の電話端末と、電話網からの回線を接続するとともに電話端末を収容し回線に電話端末を交換接続する主装置とをそれぞれ有する複数のボタン電話装置を含み、これらボタン電話装置の主装置間で、データ通信網を介して制御データをやり取りすることにより呼制御を行うとともに、音声データをやり取りすることにより通話路を形成し、その通話路を利用することにより他のボタン電話装置の回線を用いた通話を実現する電話システムであって、ボタン電話装置の主装置に、電話端末での発呼操作と他のボタン電話装置の回線との対応付けを示す回線管理情報を記憶する記憶手段と、電話端末での発呼操作に応じて記憶部の回線管理情報から当該発呼操作に対応する回線を確認し、その回線を接続する他のボタン電話装置に対して当該回線を用いた発呼を、データ通信網を介して要求する制御手段とを設けたものである。
また、本発明にかかる他の電話システムは、電話網からの回線を接続するとともに１つ以上の電話端末を収容し回線に電話端末を交換接続する第１および第２の電話制御装置を含み、これら電話制御装置間で、データ通信網を介して制御データをやり取りすることにより呼制御を行うとともに、音声データをやり取りすることにより通話路を形成し、その通話路を利用することにより他方の電話制御装置の回線を用いた通話を実現する電話システムであって、第１の電話制御装置に、当該第１の電話制御装置で収容する電話端末での発呼操作と第２の電話制御装置の回線との対応付けを示す回線管理情報を記憶する記憶手段と、当該第１の電話制御装置で収容する電話端末での発呼操作に応じて記憶部の回線管理情報から当該発呼操作に対応する回線を確認し、その回線を接続する第２の電話制御装置に対して当該回線を指定した発呼を、データ通信網を介して要求する制御手段とを備え、第２の電話制御装置に、第１の電話制御装置からの発呼要求に応じて、当該発呼要求で指定されている回線を用いて電話網へ発呼する制御手段を備えている。
また、本発明にかかる他の電話システムは、電話網からの回線を接続するとともに１つ以上の電話端末を収容し回線に電話端末を交換接続する第１および第２の電話制御装置を含み、これら電話制御装置間で、データ通信網を介して制御データをやり取りすることにより呼制御を行うとともに、音声データをやり取りすることにより通話路を形成し、その通話路を利用することにより他方の電話制御装置の回線を用いた通話を実現する電話システムであって、第１の電話制御装置に、当該第１の電話制御装置で収容する電話端末での第１の発呼操作と第２の電話制御装置で収容する電話端末での第２の発呼操作との対応付けを示す回線管理情報を記憶する記憶手段と、当該第１の発呼操作に応じて記憶部の回線管理情報から当該第１の発呼操作に対応する第２の発呼操作を確認し、第２の電話制御装置に対して当該第２の発呼操作を指定した発呼を、データ通信網を介して要求する制御手段とを備え、第２の電話制御装置に、当該第２の電話制御装置で収容する電話端末での第２の発呼操作と当該第２の電話制御装置の回線との対応付けを示す回線管理情報を記憶する記憶手段と、第１の電話制御装置からの発呼要求に応じて、記憶部の回線管理情報から当該発呼要求で指定されている第２の発呼操作に対応する回線を確認し、当該回線を用いて電話網へ発呼する制御手段を備えている。
この際、第２の電話制御装置の制御手段で、発呼に対する相手電話端末の応答に応じて、当該相手電話端末と電話網を介して通話路を形成するとともに、第１の電話制御装置とデータ通信網を介して制御データをやり取りすることにより、当該データ通信網を介して第１の電話制御装置と通話路を形成し、当該通話路に当該相手電話端末との通話を接続し、第１の電話制御装置の制御手段で、データ通信網を介して形成した第２の電話制御装置との通話路に当該発呼操作を行った電話端末を接続するようにしてもよい。
【手続補正４】
【補正対象書類名】明細書
【補正対象項目名】０００９
【補正方法】変更
【補正の内容】
【０００９】
また、本発明にかかるボタン電話装置は、１つ以上の電話端末と、電話網からの回線を接続するとともに電話端末を収容し回線に電話端末を交換接続する主装置とを有し、他のボタン電話装置とデータ通信網を介して制御データをやり取りすることにより呼制御を行うとともに、音声データをやり取りすることにより通話路を形成し、その通話路を利用することにより他のボタン電話装置の回線を用いた通話を実現するボタン電話装置であって、主装置に、電話端末での発呼操作と他のボタン電話装置の回線との対応付けを示す回線管理情報を記憶する記憶手段と、電話端末での発呼操作に応じて記憶部の回線管理情報から当該発呼操作に対応する回線を確認し、その回線を接続する他のボタン電話装置に対して当該回線を用いた発呼を、データ通信網を介して要求する制御手段とを備えている。
【手続補正５】
【補正対象書類名】明細書
【補正対象項目名】００１０
【補正方法】変更
【補正の内容】
【００１０】
また、本発明にかかる電話制御装置は、電話網からの回線を接続するとともに１つ以上の電話端末を収容し回線に電話端末を交換接続する機能を有し、他の電話制御装置とデータ通信網を介して制御データをやり取りすることにより呼制御を行うとともに、音声データをやり取りすることにより通話路を形成し、その通話路を利用することにより他の電話制御装置の回線を用いた通話を実現する電話制御装置であって、電話端末での発呼操作と他の電話制御装置の回線との対応付けを示す回線管理情報を記憶する記憶手段と、電話端末での発呼操作に応じて記憶部の回線管理情報から当該発呼操作に対応する回線を確認し、その回線を接続する他の電話制御装置に対して当該回線を用いた発呼を、データ通信網を介して要求する制御手段とを備えている。
【手続補正６】
【補正対象書類名】明細書
【補正対象項目名】００１１
【補正方法】変更
【補正の内容】
【００１１】
また、本発明にかかるプログラムは、電話網からの回線を接続するとともに１つ以上の電話端末を収容し回線に電話端末を交換接続する機能を有し、他の電話制御装置とデータ通信網を介して制御データをやり取りすることにより呼制御を行うとともに、音声データをやり取りすることにより通話路を形成し、その通話路を利用することにより他の電話制御装置の回線を用いた通話を実現する電話制御装置のコンピュータに、電話端末での発呼操作と他の電話制御装置の回線との対応付けを示す回線管理情報を記憶するステップと、電話端末での発呼操作に応じて記憶部の回線管理情報から当該発呼操作に対応する回線を確認し、その回線を接続する他の電話制御装置に対して当該回線を用いた発呼を、データ通信網を介して要求するステップとを実行させる。
これら回線管理情報では、発呼操作に対して、当該発呼に用いる回線候補となる他のボタン電話端末の回線を複数対応付けてもよく、あるいは発呼操作に対して、他のボタン電話装置の回線管理情報で設定されている発呼操作を対応付けてもよい。
【手続補正７】
【補正対象書類名】明細書
【補正対象項目名】００１２
【補正方法】変更
【補正の内容】
【００１２】
本発明は、複数のボタン電話装置間で、データ通信網を介して制御データをやり取りすることにより呼制御を行うとともに、音声データをやり取りすることにより通話路を形成し、その通話路を利用することにより他のボタン電話装置の回線を用いた通話を実現する電話システムで、これらボタン電話装置により、電話端末での発呼操作と他のボタン電話装置の回線との対応付けを示す回線管理情報を記憶し、電話端末での発呼操作に応じて記憶部の回線管理情報から当該発呼操作に対応する回線を確認し、その回線を接続する他のボタン電話装置に対して当該回線を用いた発呼を、データ通信網を介して要求するようにしたので、発呼の際、利用者が所望する他のボタン電話装置の回線を指定して発呼することができる。